【事件の表示】
　特願２０１８−１２３２９０「Ｘ線診断装置」拒絶査定不服審判事件〔平成３０年１０月２５日出願公開、特開２０１８−１６４７４４、請求項の数（８）〕について、次のとおり審決する。
【結　論】
　原査定を取り消す。
　本願の発明は、特許すべきものとする。
【理　由】
第１　手続の経緯
　本願は、平成２４年６月１１日に出願された特願２０１２−１３１６００号の一部を、平成２９年５月１日に新たに出願した特願２０１７−０９１０７４号の一部を、さらに平成３０年６月２８日に新たに出願したものであって、平成３１年４月９日付けで拒絶理由が通知され、令和元年８月８日付けで意見書及び手続補正書が提出され、同年１１月２２日付けで拒絶査定（以下「原査定」という。）されたところ、令和２年３月３日に拒絶査定不服審判の請求がなされ、同時に手続補正がなされたものである。
第２　原査定の概要
　原査定の概要は次のとおりである。
　本願請求項１〜８に係る発明は、以下の引用文献１〜３に基づいて、その発明の属する技術の分野における通常の知識を有する者（以下「当業者」という。）が容易に発明できたものであるから、特許法第２９条第２項の規定により特許を受けることができない。
引用文献等一覧
引用文献１.特開２０１２−６５８０２号公報
引用文献２.特開２００９−１１９０００号公報（周知技術を示す文献）
引用文献３.特開２０１０−１２５３３１号公報（周知技術を示す文献）
第３　審判請求時の補正について１　審判請求時の補正
　審判請求時の補正によって請求項１の「Ｘ線診断装置」に「前記撮像部が移動した場合、当該移動後の前記撮像部の装置位置情報に関連付けられた前記血管壁を示す図形を前記記憶部から読み出して、前記撮像部により撮像される透視画像と重ねて前記表示部に表示する処理を行」う事項が追加された。
２　特許法第１７条の２第３項について
　審判請求時の補正によって追加された事項は、当初明細書の段落【００５７】に記載されているから、当初明細書等に記載された事項であり、新たな技術的事項を導入するものでないといえる。
３　特許法第１７条の２第４項について　上記請求項１に係る発明に対する補正は、請求項１に係る発明の「Ｘ線診断装置」に必要な事項を追加するものであるから、これらの補正により特別な技術的特徴が変更されたとはいえない。
４　特許法第１７条の２第５項について
　「前記撮像部が移動した場合、当該移動後の前記撮像部の装置位置情報に関連付けられた前記血管壁を示す図形を前記記憶部から読み出して、前記撮像部により撮像される透視画像と重ねて前記表示部に表示する処理を行」う事項を追加する補正は、請求項１に係る発明の「Ｘ線診断装置」を限定する補正であから、特許請求の範囲の減縮を目的とするものである。
５　特許法第１７条の２第６項について
　「第４　本願発明」から「第６　対比・判断」までに示すように、補正後の請求項１〜８に係る発明は、独立特許要件を満たすものである。
６　まとめ
　したがって、上記補正は、特許法第１７条の２第３項から第６項に規定される要件を満たすものである。
第４　本願発明
　本願請求項１〜８に係る発明（以下、それぞれ「本願発明１」〜「本願発明８」という。）は、令和２年３月３日付けの手続補正で補正された特許請求の範囲の請求項１〜８に記載された事項により特定される発明であり、以下のとおりの発明である。（下線は補正箇所を示す。）
「　　【請求項１】
　被検体のＸ線画像を撮像する撮像部と、
　前記Ｘ線画像に対して血管壁を示す図形を入力する操作を受け付ける入力部と、
　前記Ｘ線画像を撮像したときの前記撮影部の装置位置情報と、前記入力部により入力された前記血管壁を示す図形とを関連付けて記憶する記憶部と、
　前記撮像部により撮像される透視画像と、前記入力部を介して入力された血管壁を示す図形とを、重ねて表示部に表示する処理を行う制御部と、
　を備え、
　前記制御部は、
　前記装置位置情報に基づく位置に前記撮像部が位置づけられた状態において、前記撮像部により撮像される透視画像と、当該位置に関連付けて管理された前記血管壁を示す図形とを、重ねて前記表示部に表示する処理を行い、
　
前記撮像部が移動した場合、当該移動後の前記撮像部の装置位置情報に関連付けられた前記血管壁を示す図形を前記記憶部から読み出して、前記撮像部により撮像される透視画像と重ねて前記表示部に表示する処理を行い、
　前記表示部に表示されている透視画像の表示の拡大率が変更された場合、当該表示の拡大率の変更に追従するように、前記血管壁を示す図形の表示状態を変更する、Ｘ線診断装置。
　　【請求項２】
　前記制御部は、ズームの変更に追従するように前記血管壁を示す図形の表示状態を変更する、請求項１に記載のＸ線診断装置。
　　【請求項３】
　前記制御部は、ズームの変更に追従するように前記血管壁を示す図形の表示位置を変更する、請求項１に記載のＸ線診断装置。
　　【請求項４】
　前記制御部は、ＦＯＶの変更に追従するように前記血管壁を示す図形の表示状態を変更する、請求項１に記載のＸ線診断装置。
　　【請求項５】
　前記制御部は、ＦＯＶの変更に追従するように前記血管壁を示す図形の表示位置を変更する、請求項１に記載のＸ線診断装置。
　　【請求項６】
　前記血管壁を示す図形を入力する操作は、手描きによる操作である、請求項１から５のうちいずれか一項に記載のＸ線診断装置。
　　【請求項７】
　前記血管壁を示す図形は、線により構成される、請求項１から６のうちいずれか一項に記載のＸ線診断装置。
　　【請求項８】
　前記撮像部を移動させる移動機構と、
　前記移動機構の駆動源に設けられた位置検出手段からの出力に基づいて、前記Ｘ線画像を撮像したときの前記撮像部の装置位置情報を取得する取得部と、
をさらに備え、
　前記記憶部は、前記取得部により取得される前記撮像部の装置位置情報と前記血管壁を示す図形とを関連付けて記憶する、請求項１から７のうちいずれか一項に記載のＸ線診断装置。」
第５　引用文献、引用発明等
１　引用文献１について
（１）引用文献１に記載された事項
　原査定の拒絶の理由に引用された引用文献１には、図面とともに次の事項が記載されている。（下線は、当審にて付した。以下同様。）
（引１ア）「【００２５】
　次に、前述の
医用画像診断装置１が行うマーク画像表示に
【００２６】
　まず、
撮像部３が
Ｘ線照射部３ａにより天板２ａ上の被検体Ｐに対してＸ線を照射し、
被検体Ｐを透過したＸ線をＸ線検出部３ｂにより検出する撮像を行う
撮像により検出された
Ｘ線画像信号から画像生成部６ａにより透視画像Ｇ１が生成され
透視画像Ｇ１
が表示部５の画面５ａに表示され
【００２７】
　術者や助手等の操作者は、
画面５ａに表示されている透視画像Ｇ１を確認しながら、自身の指やペン等により画面５ａ上、すなわちその画面５ａ上の検出部５ｂをなぞって、ステントグラフトＳ１の端部を合せる目標位置をマーキングする
【００２８】
　前述のように操作者が
目標位置をマーキングすると、
指やペン等の接触位置が検出部５ｂにより検出され、その接触位置に応じて画像生成部６ａによりマーク画像Ｇ２
が生成され
指やペン等が画面５ａに直線を描くように触れると、その触れた画面５ａ上の位置が検出部５ｂにより接触位置として順次検出され
直線のマーク画像Ｇ２が生成される。なお、指やペン等が画面５ａに曲線を描くように触れると、曲線のマーク画像Ｇ２が生成され
【００２９】
　この
マーク画像Ｇ２が画像生成部６ａにより記憶され
マーク画像Ｇ２の画面５ａ上の位置が天板２ａ上の位置として変換されて記憶され
マーク画像Ｇ２の画面５ａ上の位置情報、すなわち画面５ａ上の座標情報が天板２ａ上の位置情報、すなわち天板２ａ上の座標情報に関連付けられ、マーク画像Ｇ２の画面５ａ上の位置
が
画面５ａに対するマーク画像Ｇ２の位置が天板２ａに対するマーク画像Ｇ２の絶対位置として認識され
【００３０】
　なお、
天板２ａの座標情報
は、
撮像部３等の各部の位置基準となる基準座標情報に関連付けられ
マーク画像Ｇ２の画面５ａ上の座標情報は天板２ａ上の座標情報を介して医用画像診断装置１の基準座標情報に関連付けられ
【００３１】
　その後、前述のように
画像生成部６ａにより記憶されたマーク画像Ｇ２は、画像生成部６ａにより記憶された天板２ａ上の位置に基づいて表示中の透視画像Ｇ１に重ねられて画面５ａに表示される
（引１イ）「【００３９】
　また、水性ペン等を用いることも無くなるので、衛生面及び利便性を向上させることができる。さらに、画面５ａに画像の一部としてマーク画像Ｇ２を表示することから、視認性や流用性（繰り返し観察等）を向上させることができる。加えて、マーク画像Ｇ２としては様々な形状のマークを生成することが可能であり、
直線のマーク画像Ｇ２だけではなく、例えば、腹部大動脈や腎動脈等の血管の形状をなぞって血管の形状を示すマーク画像Ｇ２も生成することが可能となる
（引１ウ）「【００３５】
　ここで、図３及び図４では、天板２ａとマーク画像Ｇ２（画面５ａ）との関係を説明するため、天板２ａ上にマーク画像Ｇ２（画面５ａ）が示されている。さらに、図３及び図４においては、実線が移動前の位置であり、二点鎖線が移動後の位置である。
【００３６】
　図３に示すように、例えば、天板２ａをその天板２ａ上の被検体Ｐの体軸方向（図３中の矢印方向である下方向）に移動させた場合には、被検体Ｐも図３中の矢印方向に移動するため、マーク画像Ｇ２は矢印方向に天板２ａの移動量分だけ移動する。これはマーク画像Ｇ２の位置が天板２ａ上の位置として認識されているためであり、マーク画像Ｇ２は天板２ａの移動に伴って（追随して）移動することになる。なお、天板２ａの移動により被検体Ｐが移動するため、生成される透視画像Ｇ１は変わることになる。」
（２）引用文献１に記載された発明
ア　上記（引１ア）より、引用文献１には、以下の事項が記載されている。
「マーク画像表示を行う医用画像診断装置１において、
　Ｘ線照射部３ａにより天板２ａ上の被検体Ｐに対してＸ線を照射し、被検体Ｐを透過したＸ線をＸ線検出部３ｂにより検出する撮像を行う撮像部３と、
　透視画像Ｇ１と、マーク画像Ｇ２とを生成する画像生成部６ａと、
　透視画像Ｇ１を画面５ａに表示する表示部５とを有し、
　透視画像Ｇ１は、撮像により検出されたＸ線画像信号から生成される画像であり、
　マーク画像Ｇ２については、
　画面５ａに表示されている透視画像Ｇ１を確認しながら、自身の指やペン等により画面５ａ上、すなわちその画面５ａ上の検出部５ｂをなぞって、ステントグラフトＳ１の端部を合せる目標位置をマーキングし、
　目標位置をマーキングすると、指やペン等の接触位置が検出部５ｂにより検出され、
　その接触位置に応じて、指やペン等が画面５ａに直線を描くように触れると、直線のマーク画像Ｇ２が生成され、
　また、曲線を描くように触れると、曲線のマーク画像Ｇ２が生成されるものであり、
　マーク画像Ｇ２が画像生成部６ａにより記憶され、
　マーク画像Ｇ２の画面５ａ上の位置が天板２ａ上の位置として変換されて記憶され、
　マーク画像Ｇ２の画面５ａ上の位置情報、すなわち画面５ａ上の座標情報が天板２ａ上の位置情報、すなわち天板２ａ上の座標情報に関連付けられ、マーク画像Ｇ２の画面５ａ上の位置、すなわち、画面５ａに対するマーク画像Ｇ２の位置が天板２ａに対するマーク画像Ｇ２の絶対位置として認識され、
　天板２ａの座標情報は、撮像部３等の各部の位置基準となる基準座標情報に関連付けられ、
　マーク画像Ｇ２の画面５ａ上の座標情報は天板２ａ上の座標情報を介して医用画像診断装置１の基準座標情報に関連付けられ、
　画像生成部６ａにより記憶されたマーク画像Ｇ２は、画像生成部６ａにより記憶された天板２ａ上の位置に基づいて表示中の透視画像Ｇ１に重ねられて画面５ａに表示される医用画像診断装置１。」
イ　上記（引１イ）に、「直線のマーク画像Ｇ２だけではなく、例えば、腹部大動脈や腎動脈等の血管の形状をなぞって血管の形状を示すマーク画像Ｇ２も生成することが可能となる」と記載されていることから、引用文献１には、上記アの「医用画像診断装置１」の「その接触位置に応じて、指やペン等が画面５ａに直線を描くように触れると、直線の、また、曲線を描くように触れると、曲線のマーク画像Ｇ２」以外に、「腹部大動脈や腎動脈等の血管の形状をなぞって血管の形状を示すマーク画像Ｇ２」も記載されているといえるから、引用文献１には、以下の発明（以下「引用発明」という。）が記載されている。
「マーク画像表示を行う医用画像診断装置１において、
　Ｘ線照射部３ａにより天板２ａ上の被検体Ｐに対してＸ線を照射し、被検体Ｐを透過したＸ線をＸ線検出部３ｂにより検出する撮像を行う撮像部３と、
　透視画像Ｇ１と、マーク画像Ｇ２とを生成する画像生成部６ａと、
　透視画像Ｇ１を画面５ａに表示する表示部５とを有し、
　透視画像Ｇ１は、撮像により検出されたＸ線画像信号から生成される画像であり、
　マーク画像Ｇ２については、
画面５ａに表示されている透視画像Ｇ１を確認しながら、自身の指やペン等により画面５ａ上、すなわちその画面５ａ上の検出部５ｂをなぞって、ステントグラフトＳ１の端部を合せる目標位置をマーキングし、
　目標位置をマーキングすると、指やペン等の接触位置が検出部５ｂにより検出され、
　腹部大動脈や腎動脈等の血管の形状をなぞって血管の形状を示すマーク画像Ｇ２を生成するものであり、
　マーク画像Ｇ２が画像生成部６ａにより記憶され、
　マーク画像Ｇ２の画面５ａ上の位置が天板２ａ上の位置として変換されて記憶され、
　マーク画像Ｇ２の画面５ａ上の位置情報、すなわち画面５ａ上の座標情報が天板２ａ上の位置情報、すなわち天板２ａ上の座標情報に関連付けられ、マーク画像Ｇ２の画面５ａ上の位置、すなわち、画面５ａに対するマーク画像Ｇ２の位置が天板２ａに対するマーク画像Ｇ２の絶対位置として認識され、
　天板２ａの座標情報は、撮像部３等の各部の位置基準となる基準座標情報に関連付けられ、
　マーク画像Ｇ２の画面５ａ上の座標情報は天板２ａ上の座標情報を介して医用画像診断装置１の基準座標情報に関連付けられ、
　画像生成部６ａにより記憶されたマーク画像Ｇ２は、画像生成部６ａにより記憶された天板２ａ上の位置に基づいて表示中の透視画像Ｇ１に重ねられて画面５ａに表示される医用画像診断装置１。」
２　引用文献２について
　原査定の拒絶の理由に引用された引用文献２には、図面とともに次の事項が記載されている。
（引２ア）「【００１６】
　図１に示すように、この補助コントローラ１０は、全体として平たいやや横長のボード状であり、タッチパネル式のディスプレイ１５と、その外周を取り囲む筐体１１とを備えている。この例では、筐体１１の角部に押しボタン式のスイッチ１８が設けられおり、このスイッチ１８を押すことでコントローラ１０の電源が入るようになっている。
【００１７】
　図２に示すように、この補助コントローラ１０は、医療画像を処理するための医用ワークステーション３０に接続されて使用される。医用ワークステーション３０は従来公知のものであり、例えば種々の画像処理を行うコンピュータ３１と、それにより画像処理された医療画像を表示するモニタ３３と、を備えている。医用ワークステーション３０に補助コントローラ１０を接続することにより画像処理システム１が構成されている。
【００１８】
　なお、医用ワークステーション３０で取り扱われる被験者の断面画像としては、特に限定されるものではないが、例えばＸ線ＣＴスキャナで撮像されたものであってもよい。
【００１９】
　再び図１を参照する。補助コントローラ１０のディスプレイ１５としては、例えば８．４インチの液晶ディスプレイを利用することができる。ディスプレイ１５の表面に設けられたタッチパネル１７（図３のブロック図も参照）は、例えば、抵抗膜方式、光学式（赤外線方式）、静電容量結合式等のいずれであってもよい。タッチパネル１７は、指又はペンにより入力可能である。
【００２０】
　図３に示すように、補助コントローラ１０は、医用ワークステーション３０と有線又は無線接続するための入出力インターフェース２２を有している。有線接続の場合、この入出力インターフェース２２は例えばＵＳＢ（Universal Serial Bus）インターフェースであってもよい。このようにＵＳＢ接続を利用する場合、外部からの給電が可能となり、補助コントローラ１０側に電源を設ける必要がなくなる。」
３　引用文献３について
　原査定の拒絶の理由に引用された引用文献３には、図面とともに次の事項が記載されている。
（引３ア）「【００２３】
　１０６において、デュアルエネルギー表示が自動的に調整される。例えば、本テクノロジーのある種の実施形態は、単波長画像を表示するウィンドウの自動調整を提供し、様々なエネルギーレベルでの画像の表示を可能としている。例えば、単波長画像を第１のエネルギーレベルから第２のエネルギーレベルに調整したとき、様々なエネルギーレベルにおける画像内のコントラスト剤の変化を反映させるためにウィンドウ幅及び／またはウィンドウレベルを自動的に調整することが可能である。ある種の実施形態では例えば、エネルギーレベルの各１キロ電子ボルト（ｋｅＶ）の変化に対してあるパーセント値だけウィンドウ幅及び／またはウィンドウレベルを増減させることができる。ある種の実施形態では例えば、単波長画像を表示するウィンドウの自動調整は画像特性に基づくことができる。ある種の実施形態では、ウィンドウの自動調整は例えば、信号対ノイズ、コントラスト剤対ノイズ、標準偏差及び／または関心対象解剖部位に基づくことができる。
【００２４】
　１０８において、表示された画像内で関心領域が選択される。例えば、キーボード、マウス及び／またはタッチスクリーンを介して入力された入力コマンドを用いて関心領域をハイライトすることによってワークステーションにおいて関心領域を選択することが可能である。ある種の実施形態では関心領域は、例えばデュアルエネルギーデータに関する研究情報に関連する選好に基づいて自動的に選択することも可能である。ある種の実施形態では関心領域は、画素上にカーソルを重ねることによって選択した画素とすることができる。
【００２５】
　１１０において、画像に関する情報が表示される。例えば、ワークステーションのユーザインタフェースを介して画像に関する情報をグラフィック表示することが可能である。ある種の実施形態では、例えば対話型ユーザインタフェースを提供するために情報をリアルタイムで表示させることが可能である。ある種の実施形態では、リアルタイムは情報を表示させた処理のすぐ後とすることができる。本テクノロジーのある種の実施形態は、カーソルが画像を指しているときに画像に関する情報の表示を提供することができる。例えば、画像の指示した部分（例えば、関心領域）に関するソース及び／または処理済みデュアルエネルギーデータを表示させることが可能である。例えばカーソルが単波長画像を指
しているとき、指示したボクセルに関する１つまたは複数の材料基礎対の材料密度及び／またはＥｆｆｅｃｔｉｖｅ−Ｚ情報を表示させることが可能である。例えばカーソルが材料密度画像を指しているとき、当該対画像の材料密度を表示させることが可能である。例えばカーソルがＥｆｆｅｃｔｉｖｅ−Ｚ画像を指しているとき、単波長及び／または材料密度情報を表示させることが可能である。
【００２６】
　ある種の実施形態では、ユーザインタフェースの周りで移動可能とするように構成されたウィンドウ内に画像に関する情報を表示させることが可能である。こうした実施形態では、画像のうちウィンドウの裏側に入った部分に関する情報をウィンドウ内に表示させることが可能である。ウィンドウを移動させると、その内部に表示させた情報を、画像のうちウィンドウの裏側に入った部分に基づいて更新することが可能である。ウィンドウ内に表示させる情報は例えば、上に記載した情報を含むことができる。ある種の実施形態では、例えば対話型ユーザインタフェースを提供するためにウィンドウ内に表示させた情報をリアルタイムで更新することが可能である。ある種の実施形態では、リアルタイムとは情報を更新させた処理のすぐ後とすることができる。ある種の実施形態では例えば、ローミング、サイズ変更、ウィンドウ内に表示させるデータのタイプの変更、ズームイン、ズームアウト、ウィンドウレベルの変更、基本となるデータとの同期（例えば、ウィンドウの裏側に入った画像の変更に基づくウィンドウ内に表示させた情報の更新）、融合パラメータの表示、及び／または選択した画像領域上での統計値の計算／表示を実行するようにウィンドウを構成することが可能である。ある種の実施形態では例えば、切り出されたマスク、輪郭、ヒストグラム及び／または融合した層としてデータを提供するようにウィンドウを構成することが可能である。」
第６　対比・判断１　本願発明１について
（１）対比
　本願発明１と引用発明とを対比すると、次のことがいえる。
ア　引用発明の「透視画像Ｇ１」は、「Ｘ線照射部３ａにより天板２ａ上の被検体Ｐに対してＸ線を照射し、被検体Ｐを透過したＸ線をＸ線検出部３ｂにより検出」「されたＸ線画像信号から」「生成された」画像であるから、本願発明１の「被検体のＸ線画像」に相当する。そして、引用発明の「透視画像Ｇ１」を生成する「Ｘ線画像信号」は「撮像により検出された」信号であって、「撮像部３」が「Ｘ線をＸ線検出部３ｂにより検出する撮像を行う」ものであるから、「透視画像Ｇ１」を生成する「Ｘ線画像信号」を「Ｘ線検出部３ｂにより検出する撮像を行う」ものである「撮像部３」は、本願発明１の「被検体のＸ線画像を撮像する撮像部」に相当する。
イ　引用発明の「医用画像診断装置１」は、「透視画像Ｇ１」により診断する装置であって、上記アの通り「透視画像Ｇ１」は、「Ｘ線照射部３ａにより天板２ａ上の被検体Ｐに対してＸ線を照射し、被検体Ｐを透過したＸ線をＸ線検出部３ｂにより検出」「されたＸ線画像信号から」「生成された」画像であるから、引用発明の「医用画像診断装置１」は、本願発明１の「Ｘ線診断装置」に相当する。
ウ　引用発明の「血管の形状を示すマーク画像Ｇ２」は「画面５ａに表示されている透視画像Ｇ１を確認しながら」「生成」されたものであるから、本願発明１の「前記Ｘ線画像に対して血管壁を示す図形」に相当する。そして引用発明の「血管の形状を示すマーク画像Ｇ２」は、「自身の指やペン等により画面５ａ上、すなわちその画面５ａ上の検出部５ｂをなぞって、ステントグラフトＳ１の端部を合せる目標位置をマーキングし、目標位置をマーキングすると、指やペン等の接触位置が検出部５ｂにより検出され、腹部大動脈や腎動脈等の血管の形状をなぞ」ることによってを生成されるから、引用発明の「検出部５ｂ」は、本願発明１の「前記Ｘ線画像に対して血管壁を示す図形を入力する操作を受け付ける入力部」に相当する。
エ　引用発明において「マーク画像Ｇ２の画面５ａ上の位置が天板２ａ上の位置として変換されて記憶され」ていることから、引用発明は、「マーク画像Ｇ２の画面５ａ上の位置が天板２ａ上の位置として変換され」た情報を記憶する記憶部を有しているといえる。そして、引用発明の「撮像部３等の各部の位置基準となる基準座標情報に関連付けられ」、「マーク画像Ｇ２の画面５ａ上の座標情報は天板２ａ上の座標情報を介して医用画像診断装置１の基準座標情報に関連付けられ」ているから、「マーク画像Ｇ２の画面５ａ上の座標情報」は、「撮像部３」の位置情報と関連づけられて上記記憶部に記憶されているものといえる。
　そうすると、引用発明の「マーク画像Ｇ２の画面５ａ上の位置が天板２ａ上の位置として変換され」た情報記憶する記憶部は、本願発明１の「前記Ｘ線画像を撮像したときの前記撮影部の装置位置情報と、前記入力部により入力された前記血管壁を示す図形とを関連付けて記憶する記憶部」に相当する。
オ　引用発明の「マーク画像Ｇ２」は、「検出部５ｂにより検出され」て生成されるものであるから、引用発明の「検出部５ｂにより検出され」て生成された「マーク画像Ｇ２」は、本願発明の「前記入力部により入力された前記血管壁を示す図形」に相当する。そして、引用発明の「画像生成部６ａにより記憶されたマーク画像Ｇ２」を、「画像生成部６ａにより記憶された天板２ａ上の位置に基づいて表示中の透視画像Ｇ１に重ねられて画面５ａに」「表示」する処理は、「画像生成部６ａ」ないし「表示部５」により行われることは明らかであるから、「記憶されたマーク画像Ｇ２は、画像生成部６ａにより記憶された天板２ａ上の位置に基づいて表示中の透視画像Ｇ１に重ねられて画面５ａに表示」する「画像生成部６ａ」ないし「表示部５」は、本願発明１の「前記撮像部により撮像される透視画像と、前記入力部を介して入力された血管壁を示す図形とを、重ねて表示部に表示する処理を行う制御部」に相当する。そして、上記エで検討したとおり、引用発明の「マーク画像Ｇ２の画面５ａ上の座標情報」は、「撮像部３」の位置情報と関連づけられて上記記憶部に記憶されているから、引用発明の「画像生成部６ａ」ないし「表示部５」が行う「記憶されたマーク画像Ｇ２は、画像生成部６ａにより記憶された天板２ａ上の位置に基づいて表示中の透視画像Ｇ１に重ねられて画面５ａに表示」する処理は、本願発明１の「前記制御部」が行う「前記装置位置情報に基づく位置に前記撮像部が位置づけられた状態において、前記撮像部により撮像される透視画像と、当該位置に関連付けて管理された前記血管壁を示す図形とを、重ねて前記表示部に表示する処理」に相当する。
カ　以上ア〜オより、本願発明１と引用発明との間には、以下の一致点及び相違点がある。
（一致点）「被検体のＸ線画像を撮像する撮像部と、
　前記Ｘ線画像に対して血管壁を示す図形を入力する操作を受け付ける入力部と、
　前記Ｘ線画像を撮像したときの前記撮影部の装置位置情報と、前記入力部により入力された前記血管壁を示す図形とを関連付けて記憶する記憶部と、
　前記撮像部により撮像される透視画像と、前記入力部を介して入力された血管壁を示す図形とを、重ねて表示部に表示する処理を行う制御部と、
　を備え、
　前記制御部は、
　前記装置位置情報に基づく位置に前記撮像部が位置づけられた状態において、前記撮像部により撮像される透視画像と、当該位置に関連付けて管理された前記血管壁を示す図形とを、重ねて前記表示部に表示する処理を行う、Ｘ線診断装置。」
（相違点１）前記制御部が、本願発明１は、「前記撮像部が移動した場合、当該移動後の前記撮像部の装置位置情報に関連付けられた前記血管壁を示す図形を前記記憶部から読み出して、前記撮像部により撮像される透視画像と重ねて前記表示部に表示する処理を行うのに対し、引用発明はそのような処理に関し特定されていない点。
（相違点２）前記制御部が、本願発明１は、「前記表示部に表示されている透視画像の表示の拡大率が変更された場合、当該表示の拡大率の変更に追従するように、前記血管壁を示す図形の表示状態を変更する」のに対し、引用発明はそのような特定がない点。
（２）判断
　上記相違点１について検討する。
　本願明細書の発明の詳細な説明には、本願発明の課題として、
（本ａ）「【発明が解決しようとする課題】
【０００６】
　しかしながら、前述のようにモニタ画面上の透明シートに手書きで目印を記入する場合には、撮像位置を変えると透明シート上の目印が意味をなさなくなるため、複数の撮像位置（例えば、撮像角度）からの確認を実行しようとすると、撮像位置を変える度に透明シートを貼りかえて手書きで目印を記入する作業が必要となり、手間がかかってしまう。また、透視画像をリアルタイムに重ね合わせるような透視ロードマップを活用する場合でも、複数の角度での確認を行おうとすると前述のような再作業が必要になるため、やはり手間がかかってしまう。
【０００７】
　本発明が解決しようとする課題は、利用者の作業効率を向上させることができるＸ線診断装置を提供することである。」
旨記載されていることから、本願発明１の「前記撮像部が移動した場合、当該移動後の前記撮像部の装置位置情報に関連付けられた前記血管壁を示す図形を前記記憶部から読み出して、前記撮像部により撮像される透視画像と重ねて前記表示部に表示する処理を行」う構成は、「透明シートに手書きで目印を記入する場合に」「透明シート上の目印が意味をなさなくなる」ような「複数の撮像位置（例えば、撮像角度）からの確認」に対応するための構成であるといえる。しかしながら、引用文献１には、「撮像部３を天板２ａ上の被検体Ｐの体軸方向（図４中の矢印方向である上方向）に移動させた場合」などの「撮像部３」が「天板２ａ」に対して移動した場合について記載はあるものの、この場合、「マーク画像Ｇ２」の位置が天板２の上の位置として認識されているため、「マーク画像Ｇ２」は固定状態であり、移動しないものであって、「撮像部３」の位置情報に関連づけられた「マーク画像Ｇ２」を新たに記憶部から読み出す必要はないから、上記相違点１に係る構成は、引用発明から容易に想到できたものであるとはいえない。また、引用文献２及び３には、撮像位置を変更する点の記載はないから、「前記撮像部が移動した場合、当該移動後の前記撮像部の装置位置情報に関連付けられた前記血管壁を示す図形を前記記憶部から読み出して、前記撮像部により撮像される透視画像と重ねて前記表示部に表示する処理を行」う構成は、引用文献２及び３に記載も示唆もされていない。
　そうすると、上記相違点１に係る構成は、引用発明、引用文献２及び３に記載された技術事項に基づいて、容易に想到できたものであるとはいえないから、上記相違点２について判断するまでもなく、本願発明１は、当業者であっても引用発明、引用文献２及び３に記載された技術的事項に基づいて容易に発明できたものであるとはいえない。
２　本願発明２〜８について
　本願発明２〜８も、本願発明１の「前記撮像部が移動した場合、当該移動後の前記撮像部の装置位置情報に関連付けられた前記血管壁を示す図形を前記記憶部から読み出して、前記撮像部により撮像される透視画像と重ねて前記表示部に表示する処理を行」う構成と同一の構成を備えるものであるから、本願発明１と同じ理由により、当業者であっても、引用発明及び拒絶査定において引用された引用文献２、３に記載された技術的事項に基づいて容易に発明できたものとはいえない
第７　原査定について
　審判請求時の補正により、本願発明１−４は、「前記撮像部が移動した場合、当該移動後の前記撮像部の装置位置情報に関連付けられた前記血管壁を示す図形を前記記憶部から読み出して、前記撮像部により撮像される透視画像と重ねて前記表示部に表示する処理を行」うという事項を有するものとなっており、当業者であっても、拒絶査定において引用された引用文献１−３に基づいて、容易に発明できたものとはいえない。
　したがって、原査定の理由２を維持することはできない。
第８　むすび
　以上のとおり、原査定の理由によっては、本願を拒絶することはできない。
　また、他に本願を拒絶すべき理由を発見しない。
　よって、結論のとおり審決する。